(57)【要約】      （修正有）【課題】集束型プラグイン式セルフロッキング高周波コネクタアセンブリを提供する。【解決手段】雄端子、雌端子の集束高周波コネクタＢを含み、雄端子の集束高周波コネクタは1つの雄端子のベースと複数の雄端子の単位コネクタを含み、雌端子の集束高周波コネクタは1つの雌端子のベース１ｂ、複数の雌端子の単位コネクタ２ｂ、1つの締付スリーブ３ｂ、1つの締付解除スリーブ４ｂ、1つの封止ナット５ｂ及び1つの締付ナット６ｂを含み、雌端子の集束高周波コネクタは締付ねじスリーブ７ｂを更に含み、該締付ねじスリーブの内孔には雌ねじ部分７ｂ−１が設けられ、締付ねじスリーブの前端面７ｂ−２は締付スリーブの外テーパ面３ｂ−１−２に当接され、締付解除スリーブは前後に摺動可能に締付ねじスリーブに套設され、雄、雌端子の集束高周波コネクタを接続する時、締付スリーブの前端の環状突起３ｂ−２は雄端子のベースの前端の環状溝内に嵌設され、環状突起の後端面３ｂ−２−１は環状溝の前端の傾斜面に当接される。接続の信頼性が高くなる。【選択図】図６
0003214627.tif 000002
【実用新案登録請求の範囲】
【請求項１】
雄端子の集束高周波コネクタ（A）と雌端子の集束高周波コネクタ（B）を含み、前記雄端子の集束高周波コネクタ（A）は1つの雄端子のベース（1a）と複数の雄端子の単位コネクタ（2a）とを含み、前記雄端子のベース（1a）の前端に円筒状の筒本体（1a−1）を有し、前記雄端子のベース（1a）にはその軸方向に沿って複数の雄端子の貫通穴（1a−2）と1つのガイドピン（1a−3）が設けられ、各雄端子の単位コネクタ（2a）は外部導体（2a−1）、絶縁体（2a−2）及び内部導体（2a−3）を含み、各雄端子の単位コネクタ（2a）はそれぞれ各雄端子の貫通穴（1a−2）内に挿着され、前記雌端子の集束高周波コネクタ（B）は1つの雌端子のベース（1b）、複数の雌端子の単位コネクタ（2b）、1つの円筒状締付スリーブ（3b）、1つの円筒状締付解除スリーブ（4b）、1つの円筒状封止ナット（5b）及び1つの円筒状締付ナット（6b）を含み、前記雌端子のベース（1b）にはその軸方向に沿って複数の雌端子の貫通穴（1b−1）とガイドするための1つの止まり穴（1b−2）とが設けられ、各雌端子の単位コネクタ（2b）は外部導体（2b−1）、絶縁体（2b−2）及び内部導体（2b−3）を含み、各雌端子の単位コネクタ（2b）は各雌端子の貫通穴（1b−1）内にそれぞれ挿着され、前記締付スリーブ（3b）の内孔に雌ねじ部分（3b−3）を有し、前記雌端子のベース（1b）は前記締付スリーブ（3b）の内孔内に置かれ、前記締付スリーブ（3b）の前端は外へ開口するテーパ口（3b−1）と内へ突出する環状突起（3b−2）からなり、前記テーパ口（3b−1）は内テーパ面（3b−1−1）と外テーパ面（3b−1−2）を有し、前記締付解除スリーブ（4b）の前端に内へ突出する環状のフック状突起（4b−1）を有し、前記環状のフック状突起（4b−1）は締付スリーブ（3b）の内テーパ面（3b−1−1）に当接され、前記封止ナット（5b）の内孔には雌ねじ部分（5b−1）が設けられ、封止ナット（5b）の外壁面には雄ねじ部分（5b−2）が設けられ、前記締付ナット（6b）は前記封止ナット（5b）の雌ねじ部分（5b−1）とねじ接続され、前記締付スリーブ（3b）の雌ねじ部分（3b−3）は封止ナット（5b）の雄ねじ部分（5b−2）とねじ接続される集束型プラグイン式セルフロッキング高周波コネクタアセンブリであって、前記雄端子のベース（1a）の前端の筒本体（1a−1）の外壁面には、前端面が外へ傾斜する傾斜面（1a−1−1a）である環状溝（1a−1−1）が設けられ、前記雌端子の集束高周波コネクタ（B）は円筒状締付ねじスリーブ（7b）を更に含み、該締付ねじスリーブ（7b）の内孔には雌ねじ部分（7b−1）が設けられ、前記締付スリーブ（3b）の外壁面には雄ねじ部分（3b−4）が更に設けられ、前記締付ねじスリーブ（7b）の雌ねじ部分（7b−1）は前記締付スリーブ（3b）の雄ねじ部分（3b−4）とねじ接続され、前記締付ねじスリーブ（7b）の前端面（7b−2）は前記締付スリーブ（3b）の外テーパ面（3b−1−2）に当接され、前記締付解除スリーブ（4b）は前後に摺動可能に締付ねじスリーブ（7b）に套設され、雄端子、雌端子の集束高周波コネクタ（A、B）を挿着接続する時、前記締付スリーブ（3b）の前端の環状突起（3b−2）は前記雄端子のベース（1a）の前端の環状溝（1a−1−1）内に嵌設されるとともに、環状突起（3b−2）の後端面（3b−2−1）は環状溝（1a−1−1）の前端の傾斜面（1a−1−1a）に当接される、ことを特徴とする集束型プラグイン式セルフロッキング高周波コネクタアセンブリ。
【請求項２】
前記ガイドピン（1a−3）、止まり穴（1b−2）の横断面はいずれも二等辺三角形であり、且つ前記ガイドピン（1a−3）の大きさと止まり穴（1b−2）の大きさを合わせる、ことを特徴とする請求項1に記載の集束型プラグイン式セルフロッキング高周波コネクタアセンブリ。
【請求項３】
前記ガイドピン（1a−3）、止まり穴（1b−2）の二等辺三角形の横断面における隣接した隣接辺はいずれもフィレット（R）移り変わり（transition）であり、ガイドピン（1a−3）の外端面には面取り（8）が更に設けられる、ことを特徴とする請求項2に記載の集束型プラグイン式セルフロッキング高周波コネクタアセンブリ。
【請求項４】
前記雄端子のベース（1a）にはその軸方向に沿って5つの雄端子の貫通穴（1a−2）が設けられ、前記雄端子の単位コネクタ（2a）が5つあり、前記雌端子のベース（1b）にはその軸方向に沿って5つの雌端子の貫通穴（1b−1）が設けられ、前記雌端子の単位コネクタ（2b）が5つあり、前記ガイドピン（1a−3）、止まり穴（1b−2）の二等辺三角形の横断面における頂角が30〜40°であり、底角が70〜75°である、ことを特徴とする請求項2に記載の集束型プラグイン式セルフロッキング高周波コネクタアセンブリ。
【請求項５】
前記雄端子のベース（1a）にはその軸方向に沿って4つの雄端子の貫通穴（1a−2）が設けられ、前記雄端子の単位コネクタ（2a）が4つあり、前記雌端子のベース（1b）にはその軸方向に沿って4つの雌端子の貫通穴（1b−1）が設けられ、前記雌端子の単位コネクタ（2b）が4つあり、前記ガイドピン（1a−3）、止まり穴（1b−2）の二等辺三角形の横断面における頂角が68〜76°であり、底角が52〜56°である、ことを特徴とする請求項2に記載の集束型プラグイン式セルフロッキング高周波コネクタアセンブリ。
【請求項６】
前記締付スリーブ（3b）の前端には、周方向に均一に分布され軸方向に延伸する複数の開口溝（3b−5）が設けられる、ことを特徴とする請求項1〜5のいずれか一項に記載の集束型プラグイン式セルフロッキング高周波コネクタアセンブリ。
【請求項７】
前記締付ねじスリーブ（7b）の外壁面には環状突起（7b−3）が設けられ、前記締付解除スリーブ（4b）の内孔には環状溝（4b−2）が設けられ、前記締付解除スリーブ（4b）の環状溝（4b−2）の軸方向の長さは締付ねじスリーブ（7b）の環状突起（7b−3）の軸方向の長さよりも大きく、前記環状突起（7b−3）は前記環状溝（4b−2）内に嵌設される、ことを特徴とする請求項1〜5のいずれか一項に記載の集束型プラグイン式セルフロッキング高周波コネクタアセンブリ。
【考案の詳細な説明】
【技術分野】
【０００１】
本考案は信号を伝送するための高周波コネクタに関し、特に複数の単位コネクタを有する集束型セルフロッキング式高周波コネクタに関し、通信伝送の技術分野に属する。
【背景技術】
【０００２】
従来のセルフロッキング式高周波コネクタは、例えば中国の実用新案ZL200520078532.3に開示されている構造のように、雌コネクタと雄コネクタからなり、雄コネクタのコンタクト部材の上部開口がラッパ状開口であり、ラッパ状開口とコンタクト部材との遷移部には係合フックが設けられ、雌コネクタの外部導体には位置決め係合溝が設けられる。雄コネクタのコンタクト部材には縦方向にエキスパンションジョイントが設置される。雌コネクタと雄コネクタとを挿着する場合、コンタクト部材における係合フックを外部導体の位置決め係合溝に係合すればセルフロッキングを実現することができる。
【０００３】
従来の高周波コネクタは使用過程において以下の2つの欠陥がある。1、コネクタの製造誤差又は雌、雄コネクタの複数回の挿抜により、常に雌、雄コネクタの接続の信頼性が低くなり、更に雌、雄コネクタの内、外部導体の相互脱離を引き起こし、それにより電気信号の伝送性能に大きな影響を与える。2、雌、雄コネクタは円柱状のガイドピン、ガイド穴により位置決め接続されるので、異なる集束数の高周波コネクタの間に誤挿着が発生すると、コネクタへの損傷を引き起こしやすいので、雌端子の接触が不良であるか、又は雄端子と雌端子を正常に嵌合、挿着できなくなる。例えば、操作者が誤って4芯雄端子、即ち集束数が4である雄端子コネクタと5芯雌端子、即ち集束数が5である雌端子コネクタとを挿着する場合、4芯雄端子の円柱状ガイドピンは5芯雌端子のチャンネル絶縁体及び挿入穴の端面に突き当てられることになり、力が大きすぎると、5芯雌端子のチャンネルが壊され、雌端子のチャンネルの挿入穴が損壊されることになり、接触の不良が発生して、性能に影響を及ぼす恐れがある。
【考案の概要】
【０００４】
本考案が解決しようとする技術的な問題は、締付スリーブの締付力及び雄端子、雌端子の単位コネクタにおける内、外部導体の締付力を大幅に向上させることができ、両者の内、外部導体がロック状態で脱離しない集束型プラグイン式セルフロッキング高周波コネクタアセンブリを提供することである。
上記構造を採用することにより、本考案は以下の有益な効果を有する。
本考案の雄端子、雌端子の集束高周波コネクタを挿着嵌合する際、締付ねじスリーブを手動で締め付けると、締付ねじスリーブが前へ移動し、その前端面が締付スリーブの外テーパ面に突き当てられることにより、締付スリーブの前端のテーパ口を内へ反転させ、締付スリーブの前端の環状突起を雄端子のベースの前端の環状溝内にしっかりとロックし、従来技術に比べて、締付力を約30倍向上させ、締付ねじスリーブのねじ作用で、雄端子、雌端子の単位コネクタが脱離しなくなる。且つ、雌端子の集束高周波コネクタにおける締付スリーブの環状突起の後端面が雄端子の集束高周波コネクタにおける雄端子のベースの環状溝の傾斜面に当接されるので、前記テーパ口を内へ反転させると同時に、締付スリーブの環状突起の後端面により雄端子の集束高周波コネクタを前へ移動させ、それにより雄端子と雌端子の単位コネクタにおける内、外部導体の間の締付力を大幅に向上させる。
【０００５】
本考案のガイドピン、止まり穴の横断面がいずれも二等辺三角形であるので、このように、異なる集束数の高周波コネクタのガイドピン、止まり穴は頂角と底角が異なる二等辺三角形の形状を採用することができ、このため、異なる集束数、例えば4芯、5芯の高周波コネクタの誤挿着が発生すると、二等辺三角形の雄端子のガイドピンは、まず頂角と底角が異なる二等辺三角形の雌端子の止まり穴と接触して穴底まで突き当てられ、雄端子の外部導体の弾性接触ヘッドは雌端子の内部導体のリードにまったく接触しないので、何の部品にも損傷を与えない。
本考案は、体積が小さく、コネクタの小型化の発展ニーズをより良く満たすことができ、且つ本考案は製造コストが低い。
【図面の簡単な説明】
【０００６】
以下、図面を参照しながら本発明の具体的な実施形態を更に詳しく説明する。
【図１】図1は本発明の集束型プラグイン式セルフロッキング高周波コネクタアセンブリにおける雄端子の集束高周波コネクタの構造模式図である。
【図２】図2は雄端子の集束高周波コネクタにおける雄端子のベースの正面模式図である。
【図３】図3は図2におけるC−C線に沿う断面模式図である。
【図４】図4は本発明におけるガイドピンの斜視模式図である。
【図５】図5は本発明における雄端子の単位コネクタの構造模式図である。
【図６】図6は本発明の集束型プラグイン式セルフロッキング高周波コネクタアセンブリにおける雌端子の集束高周波コネクタの構造模式図である。
【図７】図7は雌端子の集束高周波コネクタにおける雌端子のベースの斜視模式図である。
【図８】図8は雌端子のベースの正面模式図である。
【図９】図9は図8におけるD−D線に沿う断面模式図である。
【図１０】図10は雌端子の集束高周波コネクタにおける締付スリーブの斜視模式図である。
【図１１】図11は締付スリーブの断面模式図である。
【図１２】図12は雌端子の集束高周波コネクタにおける締付解除スリーブの斜視模式図である。
【図１３】図13は締付解除スリーブの半断面模式図である。
【図１４】図14は雌端子の集束高周波コネクタにおける締付ねじスリーブの斜視模式図である。
【図１５】図15は締付ねじスリーブの半断面模式図である。
【図１６】図16は封止ナットの半断面模式図である。
【図１７】図17は封止ナットの側面模式図である。
【図１８】図18は締付ナットの半断面模式図である。
【図１９】図19は本発明における雌端子の単位コネクタの構造模式図である。
【考案を実施するための形態】
【０００７】
図1〜図19に示すように、集束型プラグイン式セルフロッキング高周波コネクタアセンブリは、雄端子の集束高周波コネクタAと雌端子の集束高周波コネクタBを含む。前記雄端子の集束高周波コネクタAは1つの雄端子のベース1aと複数の雄端子の単位コネクタ2aを含み、前記雄端子のベース1aの前端に円筒状の筒本体1a−1を有し、前記雄端子のベース1aにはその軸方向に沿って複数の雄端子の貫通穴1a−2と1つのガイドピン1a−3が設けられ、各雄端子の単位コネクタ2aは外部導体2a−1、絶縁体2a−2及び内部導体2a−3を含み、各雄端子の単位コネクタ2aはそれぞれ各雄端子の貫通穴1a−2内に挿着される。また、使用時に、雄端子のベース1aの前端には前シールリング9が更に取り付けられ、後端には後シールリング10が取り付けられる。前記雌端子の集束高周波コネクタBは1つの雌端子のベース1b、複数の雌端子の単位コネクタ2b、1つの円筒状締付スリーブ3b、1つの円筒状締付解除スリーブ4b、1つの円筒状封止ナット5b及び1つの円筒状締付ナット6bを含む。前記雌端子のベース1bにはその軸方向に沿って複数の雌端子の貫通穴1b−1とガイドするための1つの止まり穴1b−2が設けられ、各雌端子の単位コネクタ2bは、外部導体2b−1、絶縁体2b−2及び内部導体2b−3を含み、各雌端子の単位コネクタ2bはそれぞれ各雌端子の貫通穴1b−1内に挿着され、前記締付スリーブ3bの内孔に雌ねじ部分3b−3を有し、前記雌端子のベース1bは前記締付スリーブ3bの内孔3b−6内に置かれ、前記締付スリーブ3bの前端は外へ開口するテーパ口3b−1と内へ突出する環状突起3b−2からなり、前記テーパ口3b−1は内テーパ面3b−1−1と外テーパ面3b−1−2を有し、前記締付解除スリーブ4bの前端に内へ突出する環状のフック状突起4b−1を有し、前記環状のフック状突起4b−1は締付スリーブ3bの内テーパ面3b−1−1に当接され、前記封止ナット5bの内孔には雌ねじ部分5b−1が設けられ、封止ナット5bの外壁面には雄ねじ部分5b−2が設けられ、前記締付ナット6bは前記封止ナット5bの雌ねじ部分5b−1とねじ接続され、前記締付スリーブ3bの雌ねじ部分3b−3は封止ナット5bの雄ねじ部分5b−2とねじ接続される。前記雄端子のベース1aの前端の筒本体1a−1の外壁面には、前端面が外へ傾斜する傾斜面1a−1−1aである環状溝1a−1−1が設けられ、前記雌端子の集束高周波コネクタBは円筒状締付ねじスリーブ7bを更に含み、該締付ねじスリーブ7bの内孔には雌ねじ部分7b−1が設けられ、前記締付スリーブ3bの外壁面には雄ねじ部分3b−4が更に設けられ、前記締付ねじスリーブ7bの雌ねじ部分7b−1は前記締付スリーブ3bの雄ねじ部分3b−4とねじ接続され、前記締付ねじスリーブ7bの前端面7b−2は前記締付スリーブ3bの外テーパ面3b−1−2に当接され、前記締付解除スリーブ4bは前後に摺動可能に締付ねじスリーブ7bに套設される。雄端子、雌端子の集束高周波コネクタA、Bを挿着接続する時、前記締付スリーブ3bの前端の環状突起3b−2は前記雄端子のベース1aの前端の環状溝1a−1−1内に嵌設されるとともに、環状突起3b−2の後端面3b−2−1は環状溝1a−1−1の前端の傾斜面1a−1−1aに当接される。
【０００８】
本考案の好ましい実施例として、図2、4、7、8に示すように、前記ガイドピン1a−3、止まり穴1b−2の横断面はいずれも二等辺三角形であり、且つ前記ガイドピン1a−3の大きさと止まり穴1b−2の大きさを合わせる。
【０００９】
本考案において、図2、3、4、7、8に示すように、前記ガイドピン1a−3、止まり穴1b−2の二等辺三角形の横断面における隣接した隣接辺はいずれもフィレットR遷移であり、ガイドピン1a−3の外端面には面取り8が更に設けられる。
締付ねじスリーブ7bの締め又は緩め操作を容易にするために、図14、15に示すように、締付ねじスリーブ7bの外円壁面に一部分のローレット7b−4を加工することができる。
【００１０】
本考案において、図2、7、8に示すように、前記雄端子のベース1aにはその軸方向に沿って5つの雄端子の貫通穴1a−2が設けられ、前記雄端子の単位コネクタ2aが5つあり、前記雌端子のベース1bにはその軸方向に沿って5つの雌端子の貫通穴1b−1が設けられ、前記雌端子の単位コネクタ2bが5つあり、前記ガイドピン1a−3、止まり穴1b−2の二等辺三角形の横断面における頂角が30〜40°であり、36°であることが好ましく、底角が70〜75°であり、72°であることが好ましい。
【００１１】
本考案において、前記雄端子のベース1aにはその軸方向に沿って4つの雄端子の貫通穴1a−2が設けられ、前記雄端子の単位コネクタ2aが4つあり、前記雌端子のベース1bにはその軸方向に沿って4つの雌端子の貫通穴1b−1が設けられ、前記雌端子の単位コネクタ2bが4つあり、前記ガイドピン1a−3、止まり穴1b−2の二等辺三角形の横断面における頂角が68〜76°であり、72°であることが好ましく、底角が52〜56°であり、54°であることが好ましい（図示せず）。
【００１２】
本考案において、図10、11に示すように、前記締付スリーブ3bの前端には、周方向に沿って均一に分布され軸方向に延伸する複数の開口溝3b−5が設けられる。
【００１３】
本考案の別の好ましい実施例として、図12、13、14、15に示すように、前記締付ねじスリーブ7bの外壁面には環状突起7b−3が設けられ、前記締付解除スリーブ4bの内孔には環状溝4b−2が設けられ、前記締付解除スリーブ4bの環状溝4b−2の軸方向の長さは締付ねじスリーブ7bの環状突起7b−3の軸方向の長さよりも大きく、前記環状突起7b−3は前記環状溝4b−2内に嵌設される。このような構造を採用することにより、締付解除スリーブ4bを前後に摺動可能に締付ねじスリーブ7bに套設することができる。また、本発明において、締付解除スリーブ4bの内孔に環状突起を設け、締付ねじスリーブ7bの外壁面に環状溝を設けてもよい（図示せず）。
【００１４】
本考案の雄端子、雌端子の集束高周波コネクタA、Bを挿着嵌合する時、図1、6に示す5芯雄端子、5芯雌端子の集束高周波コネクタを参照して、まず、二等辺三角形である雄端子のガイドピン1a−3は、同様に二等辺三角形であり、それと大きさが合う雌端子の止まり穴1b−2内に挿し込まれ、そして、各雄端子の単位コネクタ2aの内部導体2a−3は各雌端子の単位コネクタ2bの内部導体2b−3内に挿し込まれ、各雄端子の単位コネクタ2aの外部導体2a−1は各雌端子の単位コネクタ2bの外部導体2b−1内に挿し込まれ、最後に、締付ねじスリーブ7bを手動で締め付け、締付ねじスリーブ7bを前へ移動させる時、その前端面7b−2が締付スリーブ3bの外テーパ面3b−1−2に突き当てられることにより、締付スリーブ3bの前端のテーパ口3b−1を内へ反転させ、締付スリーブ3bの前端の環状突起3b−2を雄端子のベース1aの前端の環状溝1a−1−1内にしっかりとロックし、従来技術に比べて、締付力を約30倍向上させ、締付ねじスリーブ7bのねじ作用で、各雄端子、雌端子の単位コネクタ2a、2bが脱離しなくなる。且つ、前記テーパ口3b−1を内へ反転させると同時に、締付スリーブ3bの環状突起の後端面3b−2−1が雄端子のベース1aの環状溝傾斜面1a−1−1aに突き当てられることにより、雄端子の集束高周波コネクタAを前へ移動させる。このため、雄端子と雌端子の単位コネクタ2a、2bにおける内部導体2a−3、2b−3と外部導体2a−1、2b−1との間の締付力を大幅に向上させる。
【００１５】
試して使用した後、本考案の雄端子、雌端子の集束高周波コネクタは接続の信頼性が高く、締付力が大きく、ロックされる状態で、両者が分離することはなく、着脱しやすく、且つ異なる集束数、例えば4芯、5芯の高周波コネクタに誤挿着が発生する場合、コネクタを損壊する事故が発生することを効果的に防止する。
【図１】
0003214627.tif 000003
【図２】
0003214627.tif 000004
【図３】
0003214627.tif 000005
【図４】
0003214627.tif 000006
【図５】
0003214627.tif 000007
【図６】
0003214627.tif 000008
【図７】
0003214627.tif 000009
【図８】
0003214627.tif 000010
【図９】
0003214627.tif 000011
【図１０】
0003214627.tif 000012
【図１１】
0003214627.tif 000013
【図１２】
0003214627.tif 000014
【図１３】
0003214627.tif 000015
【図１４】
0003214627.tif 000016
【図１５】
0003214627.tif 000017
【図１６】
0003214627.tif 000018
【図１７】
0003214627.tif 000019
【図１８】
0003214627.tif 000020
【図１９】
0003214627.tif 000021